(57)【特許請求の範囲】
【請求項１】
動作時又は外部励起に応答して、消耗し検査されるシステムによって放出される測定可能な信号の雑音を測定および評価する方法であって、
ａ）システムを全体として特徴付ける時間依存の信号を捕らえる段階と、
前記信号を評価する評価段階であって、
ｂ）前記信号をその捕らえられた形でフーリエ変換する段階、フーリエ変換のパワー密度関数を計算する段階と、
ｃ）前記パワー密度関数対周波数の指数αの形の不変量を計算する段階を含む評価段階と、
ｄ）前記不変量を更に処理するために送信する段階と、
ｅ）与えられた長さの複数の異なる時間間隔でａ）からｄ）の段階を繰り返す段階と、
ｆ）前記一連の不変量を利用してシステム状態の時間依存傾向ラインを構築する段階と、を含み、
システムが互いに結合された複数のサブシステムで構築され、第１の不変量によって特徴づけられており、前記サブシステムの少なくとも１つを同一機能のサブシステムで置換することによって修正されたシステムを提供する段階と、前記修正されたシステムによって放射される測定可能な信号に基づいて修正されたシステムに特徴的な第２の不変量を計算する段階と、前記不変量を互いに比較する段階と、第１の不変量から第２の不変量を差し引くことによって代替えとして使用されたサブシステムをランク付けする両立性尺度を指定する段階とを含む前記方法。
【請求項２】
請求項１記載の方法であって、前記システムの信号は、非電気信号、機械的、光学的、生体的、生理学的、化学的、核物理的又はその他の物理的又は生物物理学的信号であり、前記信号を捕らえる段階は、信号を電圧および電流信号の少なくとも１つに変換する段階を含む前記方法。
【請求項３】
請求項２記載の方法であって、信号をフーリエ変換するために高速フーリエ変換を利用する段階を含む前記方法。
【請求項４】
請求項３記載の方法であって、パワー密度関数の対数対周波数の対数にフィットさせた直線の勾配として不変量を計算する段階を含む前記方法。
【請求項５】
請求項１記載の方法であって、更に処理する段階は、不変量を表示することおよび不変量を利用して検査されるシステムに作用することの少なくとも１つを含む前記方法。
【請求項６】
請求項１記載の方法であって、更に、前記時間依存傾向ラインに基づいて傾向の外挿が不変量の予め定められた値に達する瞬間をサービス又は保守の時点として選ぶことによってシステムのサービス又は保守の時点を予測する段階を含む前記方法。
【請求項７】
請求項６記載の方法であって、検査されるシステムの第１の動作時と考えられる非常に初期の時間間隔に対して定められた不変量の与えられた割合を不変量の予め定められた値として定義する段階を含む前記方法。
【請求項８】
請求項１記載の方法であって、更に、前記両立性尺度が肯定的であれば、以前に置換が行われたサブシステムの代わりに、システムに対する置換として使用された前記サブシステムを導入することによってシステムをグレード・アップするオプション段階を含む前記方法。
【請求項９】
請求項１記載の方法であって、与えられた１組のシステム・パラメータによってそれぞれ記述される各種条件下でシステムを作動させる段階と、各々の動作条件下でシステムの信号を捕らえる段階と、各々の動作条件に対して対応する信号に基づいて不変量を計算する段階と、マイナス１の値を最も良く近似する不変量に対応するシステム・パラメータの組を選ぶことによってシステムの最適動作条件を定義する段階とを含む前記方法。
【請求項１０】
請求項９記載の方法であって、各種の作業条件について得られた不変量の安定性を検査する段階を含む前記方法。
【発明の詳細な説明】
【技術分野】
【０００１】
本発明は、複雑なシステムの全体としての実際の特性／状態を直接に測定し、更にその状態の評価をモニタする装置および方法に関する。特に、本発明は、プロセス計画、磨耗検査および品質検査の間に使用され、動作時又は印加される外部励起に応答して測定可能な信号を生成するシステムの雑音測定に応用可能な装置および方法に関する。
【背景技術】
【０００２】
消耗検査は、予防的保守および動作寿命に関して非常に重要である。この問題は、かなり複雑で込み入っており、検査の種類に依存してその結果から与えられた機器の性質について結論を出さなければならず、更に、複数の単体装置の動作データを用いて問題となっている種類の特性値が指定されなければならない。この問題は、現実には、単一の根源に遡ることができる。すなわち、用いられるシステムは、開かれており、多数の要素を介してその環境に接続されており、同時に、その測定の間でさえ閉じたシステムと考えることは、できない。動作に対して不可欠な相互作用（システムの効果が向けられている遡及効果）および環境の影響（例えば、温度、汚染、圧力、雨等の環境負荷）のほか、ユーザの習慣や条件（例えば、早朝の利用、通常の利用オーダ、通常の強度の効果、方向等）の理由によって、エネルギの観点から開かれたシステムを構成する（環境とのエネルギ交換であり、エネルギ入力（供給）、エネルギ取り出し（有用な効果）、剥奪できない本質的特性を有する）。測定値は、これらの特性に依存し、ファジー論理の規則に従って処理されるべきであり、相互作用の多さのせいで、パラメトリック分布仮説（例えば、Ｋａｐｌａｎ−Ｍｅｉｅｒのノン（セミ）パラメトリック・ライフタイム評価）を仮定することが不可能となる。
【０００３】
動力学的効果および変化は、非常に単純な可逆的ケース（エネルギ的に閉じたシステムに関して）の場合にのみ雑音フリーである。これは、実際には、理論的理想化である。現実には、与えられた信号（測定されたもの、設定されたもの、使用されたもの等）の揺らぎとして雑音が常に存在する。（１９７４年オックスフォード、Ｃｌａｒｅｎｄｏｎ  Ｐｒｅｓｓから出版されたＲｏｂｉｎｓｏｎ  ＦＮＨ著「雑音および揺らぎ」および１９５８年Ｊｏｈｎ  Ｗｉｌｅｙ＆Ｓｏｎｓ社から出版されたＦｒｅｅｍａｎ  ＪＪ著「雑音の理論」）
【０００４】
雑音／揺らぎの源は、開かれた動力学的システムの多目的な相互作用、連続的エネルギおよびエントロピ／情報の交換と、個別的サブシステムの相互依存性とを含み、実際の雑音スペクトルは、協調的に形成される（１９６５年ニューヨーク、ＭｃＧｒａｗ  Ｈｉｌｌから出版されたＲｅｉｆ  Ｆ著「統計熱物理学」）。従って、望ましい効果には、あらゆる現実的ケースで動力学的システムの固有特徴を含む雑音／揺らぎのスペクトルが伴う。このように、雑音／揺らぎは、常時発生するが、１つの与えられた検査に直接含まれないパラメータ、プロセス、動力学的振る舞い等の１つの出現の形である。更に、雑音／揺らぎは、被検システムの（内部的および外部的）相互作用に関する情報を提供する。
【発明の開示】
【発明が解決しようとする課題】
【０００５】
通常の磨耗検査および品質検査の過程で、システムの各要素は、いくつかのセンサを用いることによって別々に調べられ、その測定の間に、雑音は、最小化又は排除される。従って、これらの測定手順が目指すところは、雑音を排除して可能な限り最良の信号対雑音比を求め、与えられたサブシステムに関して可能な限り最も正確な情報を得ることである。
【０００６】
雑音を排除する基本的な戦略が２つある。
・すべての可能な相互作用が確定され、その変化の動力学を可能な限り制限し、単なる静的状態として取り扱う（固定パラメータでのフィルタリング）。
・動力学的相互作用は、雑音源として受け入れられるが、フィルタ機構（ロック・イン・タイプのフィルタリング）を適用することによって、検査対象の「有用な」信号から分離される。
【０００７】
開かれた散逸的システム（基本的に、自然発生的でない熱力学的変化を実現するすべての事象、例えば、熱機関、生物学的システム、電磁ラジエータ等）の場合、相互作用を固定しての雑音低減は、不可能である。これは、開かれた散逸的特徴が環境との間で有限な相互作用を仮定しているためである。このため、現実の不可逆的動力学的システムの第２の可能性のみが考えられる。すなわち、雑音が考慮されなければならず、せいぜい、適用される動力学的方法は、それを抑制し、可能な限り「有用な」信号を取り出す。
【０００８】
雑音スペクトルの特定部分がシステムの健康状態モニタリングに関連する情報を含んでおり、その情報がシステムの測定信号のフーリエ変換から最も良く入手できることが明らかになった。しかし、既知の方法は、モニタされるシステムの非常に特殊な故障又は欠陥を間接的に検出することを許容するのみである。例えば、ＵＳ−Ａ−５，８８８，３７４は、金属パイプ又は貯蔵容器の局所的な孔食をモニタする装置および方法に関する。検査される金属パイプや保存容器に収容された媒体内部の各種場所において電気化学的雑音電圧値および電気化学的雑音電流値を感知するために、その壁の近傍に電気化学的プローブが使用される。孔食の程度および速さを予測するために、このように得られたデータに電気化学的雑音解析が適用され、測定された電気化学的電圧および電流雑音データの二乗平均平方根を計算することによって、フーリエ変換を適用する前に雑音スペクトルの高周波部が単純に除去される。このことは、孔食が非常に低い周波数によって特徴づけされ、高周波雑音が一般的な腐食に帰属することを根拠に行われる。しかし、この「平均化」の結果として、検査されるシステムに対する相互作用およびその全体的影響（すなわち、一般的腐食）もまた、排除される。これは、パワー・スペクトル密度対周波数の勾配として得られる結果がシステム全体としてではなく、相互作用を減らした（すなわち、少なくとも部分的に排除された）サブシステムの特性測定値であることを意味する。
ＵＳ−Ａ−５，８８８，３７４に開示された方法及び装置の別の重要な特徴は、実際の測定が（パイプと同じ材料で、更に例えば非腐食性の材料の）プローブを用いて行われ、該当するシステムに付随するパイプおよび貯蔵容器に対して直接的でないことである。あるいは、言い換えると、ＵＳ−Ａ−５，８８８，３７４は、間接的プロセスである。パイプおよび貯蔵容器の近傍に配置された電気化学的プローブ（パイプおよび貯蔵容器それ自体ではない）を用いて実際に測定されたデータからパイプおよび貯蔵容器の腐食状態に関する特定の条件が導かれる。
上記の観点で、動作時又は外部励起の効果に基づいてシステム自体によって放出される測定可能な信号から、任意のシステムの全体としてそっくりそのままの一般的な障害や弱点の直接検出又は予測の装置および方法を提供することに対して需要が存在する。
【０００９】
本発明の概念は、雑音／揺らぎの中に動力学全体が含まれ、実際には、そのすべての動力学的変数が現れて、その相互作用が与えられた（望ましい／有用な）信号の生成に関与しているという認識に基づく。更に、雑音／揺らぎスペクトルは、システム内部の相関を説明する。従って、システムは、全体としてそっくりそのまま検査することができ、システム動作をその雑音スペクトルに基づいて解析することができる。消耗および疲労プロセス（一般に、確率的変化を通して）で生じるすべての障害は、その雑音スペクトルに連続的な変化を与える。磨耗プロセスによる系統立った変化又は与えられた瞬間に発生する両立不能の各問題は、第２の与えられた瞬間に回転を起こす。このことは、それが再帰的に推論できることを意味する（マルコフ連鎖）。この再帰的振る舞いは、系統立った揺らぎを発生させ、システムの汎用的特性とする。与えられた時点におけるシステム特性が前の瞬間のみに依存する場合、システムの揺らぎ行動は、ブラウン運動のパラメータおよびブラウン雑音によって最も良く説明できる。しかし、システムの複雑さがシステム内部で長距離の相関を定義するときは、雑音（システム全体の特性）は、他の色雑音、理想的な場合、ピンク雑音により似ており、周波数の１／ｆ関数で記述できる。従って、その雑音スペクトルの記録は、消耗（疲労等）のプロセスの予測を可能とする。再帰的進展の「単位」として考えられる期間の長さは、与えられたシステムの特性周波数によって決まる。与えられた種類の検査において、システムの特性周波数と同じオーダのユニット周波数を選ぶことを推奨するが、強制ではない。更に、記録された雑音スペクトルをマッピングすることによって、すなわち、例えば、そのフーリエ変換を計算し、雑音スペクトルの前記フーリエ変換によって構成されるパワー密度の周波数依存性を調べることによって、雑音、従って検査されるシステム自体を完全に特徴づける数少ない（ほとんどの場合に１つの）不変の統合パラメータを導出できる。
【００１０】
本発明の目的は、１つの複雑なシステムの全体としてそっくりそのままの動力学全体に関する情報が入手でき、プロセス計画や品質検査に利用することのできる装置および方法を提供することである。本発明の別の目的群は、各種の実施の形態および例についての詳細な説明から明らかになる。
【課題を解決するための手段】
【００１１】
このことから、本発明の第１の態様に従えば、動作時又は外部励起に応答して検査されるシステムによって放射される測定可能な信号を測定および評価する測定装置が提供される。この装置は、信号受信ユニット、出力ユニットおよび評価ユニットを含み、評価ユニットは、
−受信ユニットによって捕らえられ、システムを全体として特徴づける時間依存の信号をフーリエ変換する手段であって、信号は、その捕らえられた形で直接変換され、すなわち、それ以上の操作が実行されない手段と、
−フーリエ変換のパワー密度関数を計算する手段と、
−パワー密度関数対周波数の指数αの形の不変量を計算する手段と、
−得られた不変量を示すデータを出力手段に供給する手段と、
を含む。
【００１２】
本発明の第２の態様に従えば、動作時又は外部励起に応答して検査されるシステムによって放射される測定可能な信号を測定および評価する方法が提供される。本方法は、
システムを全体として特徴付けるシステムの時間依存の信号を捕らえる段階と、
捕らえられた形の信号（すなわち、それ以上の操作が施されていない）のフーリエ変換を含む信号を評価し、フーリエ変換のパワー密度関数を計算し、パワー密度関数対周波数の指数αの形の不変量を計算する段階と、
不変量を更に処理するために送信する段階と、
を含む。
上記の観点で、与えられたシステムの特徴的な性質、すなわち、動作時のシステムの内部相互作用（すなわち、システム自体を構成する各種サブシステム間で発生する）およびシステムの外部相互作用（すなわち、システムとその環境との間）のすべての効果を含む雑音スペクトルに基づいて、与えられたシステムを全体としてそっくりそのまま検査するのに適した測定の装置および方法が提供される。
明らかに、本発明は、検査されるシステムの実際の状態を評価し、その経年状況をチェックできるだけでなく、その将来展開の予測も与えることができる。統合的パラメータの傾向、すなわち、フィットさせた勾配の評価は、与えられた装置がまだ正しく動作しているときに、今後の実際の保守の準備を可能とする。本発明は、経年的な動力学、すなわち、実際の介入又はサービスによって経年プロセスの加速又は原則を推測することを可能にする。本発明によって行われる予測は、将来に予期される事象を標的とし、検査範囲を実際の特性決定のみに限定しない。更に、本発明の方法の予測機能は、分離した個別ユニットとして正しく動作していても、修理されるシステムの別の部品との間に長時間のうちに発生する一般的な両立不能の問題を回避するために、実際の修理時に置換（詳細、部品等）の長時間的「調和」を直ちにチェックすることを可能にする。
【００１３】
本発明に従う装置および方法のその他の有利な実施の形態は、独立項に述べられている。
【００１４】
システムの雑音／揺らぎの測定である雑音測定は、出力信号に雑音フィルタリングを実施することなくシステムの１つの出力信号を測定することと理解すべきである点に注目すべきである。すなわち、測定信号は、有用な信号（特定のケースでは、特性周波数を含む）と、その上に重畳された雑音とを含む。容易に示すことができるように、有用な信号（又は場合によっては、特性周波数）は、信号のフーリエ変換にわずかな重みを付けて現れる。これは、理想的なケースでは、周期的信号がフーリエ空間の単一のポイントにマッピングされるからである。明らかなように、実際には、出力信号全体のうち雑音部分のみが検査時に解析される。このことから、本発明の方法は、「雑音測定」と呼ばれる。
【００１５】
本発明の文脈のなかで、与えられたプロセスの雑音測定とは、電気的、機械的又はその他測定可能な信号のうちいずれかの時間依存性を測定することを意味する。本発明の概念は、既知の解決策と異なり、雑音は、フィルタで除去されず、その逆に、信号の価値ある部分を提供するという理由で雑音自体が測定される。すなわち、本発明者は、任意の物理的パラメータ中の測定可能な雑音のスペクトル（すなわち、雑音信号のフーリエ変換）が典型的な集合的特性を示すことに気づいた。これは、周波数に対して冪関数的に依存する。冪関数の指数が測定される。これは、全体としてのシステムの動力学に対して典型的な１つの不変量とみなすことができ、これは、システム動力学を観測するために利用される。従って、この測定値は、単なる雑音（個々の周波数の観測からの情報）でなく、システム全体（周波数スペクトル全体の特徴）の特性のパラメータとして役立つ。そのため、これは、システムの動力学中に発生する変化を感度良く特徴付けることができる。従って、このパラメータのモニタは、システムの実際の状態を単一の不変量および積分パラメータに組み入れることによって、複雑なシステムのマルチ・センサ観測に置き換わる。従って、このパラメータは、次のことに対して技術的に適している。
・適正に動作するシステムに関して予め決められた基準としてパラメータを使用することによって、システムの完全さの状態を観測すること。
・マルチ・センサ観測の複雑な方式を置き換えること（しかし、障害箇所を指定する観測のために、ローカル・センサは、本発明の従う方法を使用することなく、より集積化された測定グループの形で使用されるべきである）。
・可能性のある障害を示す傾向を予測すること。
・システムの疲労困憊（寿命）の傾向を観測すること。
・開発段階のパラメータを使用することによって、どの範囲まで均一な動力学的負荷が保証されるかを測定すること。
・「例外性」、突然の変化、使用故障および無許可使用（例えば、動作故障に至らないにしても資格のない人が介在して不変量を修正するとき、例えば、車の手動変速ギアボックス）を調査すること。
・システムの一般的更新およびグレード・アップの過程において、制御および文書化の目的、更新又はアップ・グレードの効率を実証するために回転の傾向を測定すること。これは、固有の両立不能性の問題をスクリーニングおよび取り除く効率的な方法でもある。
【００１６】
能動的スクリーニングを検査対象システムに適用することによって、故障およびエラーがより正確および具体的に検出できるようになる。故障の源および共鳴点の場所が突き止められて取り除かれる。本発明のこれ以上の詳細は、添付図面を参照しながら、以下の実施の形態から明らかになる。
【実施例】
【００１７】
図１は、本発明に従う雑音測定装置１の実施の形態のブロック図である。装置１の入力には、測定手段２がある。最も単純な解決策は、雑音測定を電圧又は電流の測定まで遡るものであるため、測定手段２は、通常は、電圧および／又は電流測定手段として機能する。特定のケースでは、測定手段２には、非電圧又は非電流信号（例えば、機械的振動）を電圧又は電流信号に変換する適当な変換手段が備えられている。測定手段２の測定範囲は、検査される実際の機器の動作範囲によって決まり、他方、精度は、実際の雑音のタイプに依存する。測定手段２は、高速フーリエ・アナライザ３に直接接続される。実験室環境では、測定手段２としてオシロスコープやスペクトル・アナライザを利用できる。この後者のものには、内蔵されたＦＦＴ関数を備えることができ、その場合には、システム中に内蔵式アナライザ３を有する必要がない。
【００１８】
アナライザ３の出力は、データ処理機器、好ましくは、雑音測定結果を直接評価するソフトウエアをインストールされたコンピュータ４に接続される。表示ユニット５（例えば、モニタ）又はアクチュエータ手段６をコンピュータ４に接続することができる。ここで、後者は、評価結果に依存してシステム動作に反応し、制御手段して機能する。調整活動は、オフ・ライン（結果が表示されたあとで、人が介在する）とすることができるが、測定されたパラメータに基づいて、オン・ライン又は実時間のアクチュエータ手段６を使用することが有利である。表示手段５およびアクチュエータ手段６は、両方とも省略可能であるが、出力手段とみなすことのできる要素は、必要である。でなければ、測定装置１は、検査されるシステムに特徴的な不変量、すなわち、指数αを測定するのに無用となる。更に、結果のα値は、適当な出力手段を介してオペレータ又は修理員に送信すべきである。例えば、α値は、表示手段５を通して表示することができ、あるいは、他の実施の形態では、出力手段は、例えば、インターネット・ポートのような電気通信装置でよく、情報を遠隔ユーザのコンピュータに送信する。別のオプションは、出力手段が調査されるシステムの自動制御を実行するというものである。例えば、電気増幅手段の場合、回転式コンデンサの位置は、後に明らかになるように、アクチュエータ手段６を使用することによって調節できる。
【００１９】
測定装置１のアナライザ３およびコンピュータ４は、１つの要素に統合できる。例えば、アナライザ３をコンピュータ４のソフトウエア部とすることができ、更に雑音測定の結果を評価するソフトウエアの一部とすることができる。測定装置１としてコンピュータを使用する代わりに、Ａ／Ｄコンバータを有する「ワン・チップＰＣ」に統合化でき、アナライザ３の機能も実行し、測定手段２によって送信される信号を受信および評価し、α指数を計算することができる。
【００２０】
雑音測定手段２は、独立した電源手段７を有することができ、不可欠ではないが、特定の測定の場合に有利である。
【００２１】
一般的な応用で、システムの特定の部分に現れる信号をシステムに接続された測定手段２を用いて測定できる（特定の場合には、この手段がシステムの信号を電圧又は電流信号に変換する）。アナライザ３は、時間依存信号ｈ（ｔ）を測定し、例えば、高速フーリエ変換を適用することによってフーリエ空間に変換する。すなわち、周波数依存の離散値ｈ（ｆ）をコンピュータ４に送信する。（もちろん、高速フーリエ変換は、必要とされる変換を実行する唯一可能な解決策だけでなく、この方法は、実時間評価の実現に適している。）信号処理ソフトウエアは、周波数依存のフーリエ変換された雑音値ｈ（ｆ）の二乗を取り、等価周波数帯域幅Δｆによって除する。これは、高速フーリエ変換を実行するために使用される単なる周波数窓の幅である。このように、
【００２２】
Ｓ（ｆ）＝｜ｈ（ｆ）・ｈ（ｆ）＊｜２/Δｆ
パワー密度関数が得られる。
【００２３】
先に指摘したように、発明者の観察に従えば、パワー密度Ｓ（ｆ）は、Ｓ（ｆ）〜ｆα冪関数に従って周波数に依存し、その指数αは、被検査システムの全体としてそっくりそのままの集合的動力学的振る舞いを特徴付けるのに適している。システム構築が理想的であれば、相関距離は、無限に広がり、その場合に雑音スペクトルは、調和的、すなわちＳ（ｆ）〜１／ｆとなり、これよりα＝−１となる。また、本発明者は、最適に動作する装置の場合、αの値は、一定で、実際に動作条件に依存しないことを見出した。更に、被検査システムがその最適な動作を維持するまで、αの値が同じままに留まるか、又は無視できる程度（すなわち、エラーの範囲内）だけ変化することも分かった。従って、プロセス計画、磨耗および品質検査の過程で、２つの観点から検査しなければならない。すなわち、与えられたシステムについて測定された不変値、すなわちα指数がどれだけマイナス１（これ以降、−１）の理想的な値に近いか、動作条件を修正したとき、その初期の測定値からどの範囲まで変化するかの２点である。
【００２４】
本発明に従う装置および方法の動作を例示するために、例示的システムに対して実施された雑音測定の結果が示される。
【００２５】
（例１）
本発明に従う装置１を使用することによって、高性能で、制御された無線周波数（ＲＦ）増幅手段８の雑音が測定された。これは、図２の模式図で見ることができる。増幅手段８は、１３．５６ＭＨｚで動作する水晶式プリアンプ９および雑音抑制性能の高い（最低６０ｄＢ）ＲＦ増幅器を接続されて含み、両者は、制御された電源手段１１から電源が供給されている。外部負荷１２とＲＦ増幅器１０との間には、５０オームの整合装置１３が挿入される。雑音測定のために、装置１が負荷１２と整合装置１３との間に配置され、測定手段２（この場合、電圧測定手段）を使用することによって、現れる信号の測定が実行された。
【００２６】
図３で、上で定義されたパワー密度関数Ｓ（ｆ）の対数が周波数の対数の関数として示され、得られた測定点上に直線（線形関数）がフィットされた。このケースで、フィットされた直線の勾配、すなわち、被測定システム全体に特徴的な指数αは、−０．８２０８に等しく、フィッティング精度は、０．５９８３である。注目すべき点は、最大値が１３．５６ＭＨｚの一次周波数、すなわち、プリアンプ９の動作周波数に対応することである。被検査システム（この場合、増幅ユニット８）の特性周波数および動作周波数は、常に測定値結果中に存在するが、この範囲に含まれる点の数は、最良フィット・ラインのベースを構成する点と比べて比較的少なく、従って、ラインのフィッティングは、正当化され、妥当なものと考えられる。問題の指数αを正確に計算するために、いくつかの測定の平均が取られる。
【００２７】
（例２）
この実験の過程で、例１で説明した増幅手段８の指数αについて、異なる動作条件下で、保守の前後に検査が行われた。測定結果は、図４に要約される。ラベルＥＧ１、ＥＧ２、ＥＧ３は、純粋な抵抗性負荷で出力パワーがそれぞれ５０Ｗ、１００Ｗ、１５０Ｗの場合に得られた結果を示す。複素負荷に対して得られた同じα値がラベルＥＢ１、ＥＢ２、ＥＢ３で示されている。グラフのすべての点は、５回の測定結果を平均して計算されたものであり、平均からの偏差値は、縦方向のエラー・バーで示される。測定当たり１０２４個の点が採用され、この点の組にフィッティングを行ったあとで、指数αの表示値が得られた。
【００２８】
明らかなように、増幅手段８の動作は、外部条件と独立的にαの値がほぼ一定に留まることから、保守のあと最適なものとなったと見なすことができる。逆に、サービスを待つ増幅器８のα値は、負荷の大きさおよびタイプ（オーミック又は複素）に依存して大きく変化する。
【００２９】
得られたグラフは、本発明に従う雑音測定を利用することによって不適正に動作する装置およびシステムが予め排除できることを十分に説明している。
【００３０】
（例３）
この例で、図５に模式的に示されたペルチエ型の水冷装置１４が、本発明に従う測定装置１を用いて検査された。水冷装置１４には、循環式水ポンプ１５およびペルチエ・バッテリおよびベンチレータを含む熱交換器１６が装備されている。冷却すべき目的物１７および内部測定手段１８は、水ポンプ１５および、例えば、水流量計を含む熱交換器１６と直列に接続される。雑音測定手段１が電源手段１９に接続され、システム中に現れる信号として、水冷装置１４によって消費される電力が測定された。
【００３１】
測定の過程で、水冷装置１４の１又は複数の部品が意図的に停止されて、指数αおよび消費電力の変化が観測された。後者のものは、パワー密度関数Ｓ（ｆ）（Ｓ（ｆ）＝Ａｆα）に現れる正規化因子Ａの変化を観測することによって得られる。測定の結果は、図７のグラフに示されている。ここで、ラベルは、次の意味である。
Ｇ：故障のない動作の水冷装置１４
ＮＶ：ベンチレータに不十分な点がある動作
ＮＰ：ペルチエ・バッテリの動作が不十分
ＮＷ：水循環ポンプの不十分な動作
＋：上のケースの任意の組合せ
【００３２】
図６に示された例で、αに関する測定結果が示されている。グラフの軸は、対数スケールで、従って、フィッティングは、冪関数上で実行された。この場合、特性周波数は、存在しないが、制御エレクトロニクス、循環およびその他の技術的な解決策によるいくつかの突出した周波数が観測できる。
【００３３】
図７に、異なる動作条件下における水冷装置１４について測定された値が示されている。グラフ脇の欄に、各動作条件に対するαおよびＡの数値も列挙された。測定当たり１０２４個の点が採用され、この点の組に対してフィッティングを実施したあとで、αおよびＡの値が得られた。図７のすべての点は、５回の測定結果を平均して計算され、平均からの偏差値は、縦方向のエラー・バーで示されている。
【００３４】
指数αの変化を観測することによって、水冷装置１４の動作に関して徐々に悪化する問題がある場合に、αの値は、すべてが順調であると考えたとき、システムについて初期の測定された故障のない動作を表す値（−０．５３７）から遠ざかると言える。同時に、消費電力の減少に関連する値Ａの減少が観測され、装置の動作が益々非効率的になっていることを示している。
【００３５】
ＦＦＴ（高速フーリエ変換）又はその他のデジタル・フーリエ変換のために用いられるサンプリング周波数は、本発明の雑音測定に関しては、無関心でいられない。すなわち、フーリエ変換を実行するために被検査システムによって生成される測定信号の値を取り出す周波数について考慮しなければならない。例１で議論され、１３．５６ＭＨｚで動作する増幅手段８の場合について、α指数の周波数依存性が調べられた。結果は、図８に示されている。サンプリング周波数は、対数スケールで表されている。更に相関値のグラフも示されている。サンプリング周波数が本質的に１３．５６ＭＨｚよりも小さい場合、相関も小さく、非常に劣った指数αが得られることが明らかである。この理由は、増幅手段８の周波数に比べてサンプリング・レートが余りに小さいため、すべてのサンプル値がほぼ同じ位相から来ることが可能になり、同時に、測定信号の他の位相に対応する値が無視されるということである。１０ＭＨｚ以上になると、指数αも相関も安定することが分かる。発明者は、１０ＭＨｚのサンプリング・レートが満足できる結果を与えることを見出した。
【００３６】
当然ながら、同じことが離散的な測定手段２にも当てはまるが、その場合、測定手段２自体の周波数も考慮しなければならない。
【００３７】
図９は、異なる条件の増幅手段８に関する指数αおよび相関値を示す。α値は、棒グラフとして示され、計算値は、左側の軸から読み取ることができる。相関値は、つながれており、各増幅手段８に対応する値は、右側の軸から読み取ることができる。ＦＦＴは、１０ＭＨｚのサンプリング・レートで実行された。左側のバーと点は、正しく動作する増幅手段８の指数αおよび相関値に対応する。その他の２つのバーは、２つの異なる、未調整増幅手段８についての雑音測定結果を示す。中央に示された第１の増幅手段８は、正しく動作する増幅手段８よりわずかに小さい相関値を有する。右側に示された第２の増幅手段８の相関は、さらに小さい相関値を有する。同調した増幅手段８と比べて、指数αは、より小さく、すなわち、未調整の各増幅手段８について減少する。
【００３８】
本発明に従う測定装置１の可能な応用の１つは、監視すべきシステムに（例えば、上述の応用に）統合するものである。連続した測定および評価を実現することで、システムの老朽化プロセスを追跡することが可能である。消耗の程度は、αの変化から観察でき、システムが老朽化するにつれて、αの値は、システムの初期に取られた予め定められた基準値から遠ざかる方向に変化する。実験的に、システムの検査および保守を推奨すべきαの特定の値を予め定めることができる。例えば、αの予め定められた値は、与えられた割合、すなわち、好ましくは、システムの第１の動作時と考えられる非常に初期の時点に定められたその初期値の５０パーセント、より好ましくは、７０パーセントに選ぶことができる。
指数αの経時変化を観察することによって、破壊や磨耗を示す傾向が決定される。α（ｔ）曲線、すなわち、傾向ラインに基づいて、サービス／保守が必要とされる日付を予測できる。傾向的な変化と比べて急激な大きな変化が（すなわち、例えば、不連続な跳躍を有する）α（ｔ）の振る舞いに観測されたときは、一般的に通常の経年プロセスに関与するものでなく、直ちにサービスを必要とする特別な故障が示唆される。
【００３９】
無許可又は専門外の使用や改ざんの詳細に関しても連続した測定が必要とされる。システムの異常な動作は、曲線α（ｔ）の急激な変化から見ることができ、永久的な損傷を蒙らなければ、αの値は、システムの適正動作を回復するときにその元の値に復帰する（又は接近する）。
【００４０】
上述の雑音測定の助けによって、急激なシステムの変化を感知することができ、不正な使用や急激で予測できない動作状態の変化を検出することが可能になる。当然ながら、急に発生し、履歴（例えば、非稼働、急な衝突、予期しない事象、操作ミス因子等）を持たない任意の回転は、本発明によってトレース・バックできない。しかし、そのような急なエラーは、正常時の規定されたシステム動作と異なる他の因子による場合が多く（すなわち、これらは、システムの動力学動作において正式には、関与しなかった新しい効果によるものである）、このことから、システムを不適格なやり方で使用したり、専門外に動作条件を変更したりするときに、その操作する人によって引き起こされる無許可、未訓練、専門外の不法な使用やそのような動作エラーを検出することができる。この方法は、動力学的パラメータのいずれかが変更されて、測定可能な雑音スペクトルに痕跡が残される場合は、改ざん（システムを無許可で技術的に検査すること）や無許可での再インストールを検出することを可能にする。従って、急激な変化を伴う雑音スペクトルを伴うエラーや適正な雑音履歴を伴わないエラーは、一般に操作ミス／環境／不可抗力な状況を示す。これらは、雑音スペクトルを観察し、連続して監視する（例えば、コンピュータを用いて雑音スペクトルを定期的に収集する）ことによって除去できる。
【００４１】
設計・開発プロセスにおいて雑音測定装置１を使用するとき、確立された複雑なシステムの平衡状態の程度を判定することが可能である。動力学的な部分活動や構造的要素のどれかが不可欠な冗長度のみを持って平衡状態で動作するシステムの理想的な場合よりも高い優先度を持ってシステムの動作に参加するとき、雑音スペクトルは、調和的な１／ｆの振る舞いから徐々に離れ、同じことが期待される（−１）に関してαの値についても同様に言える。指数αを連続的又は間欠的に測定することによって、本発明に従うプロセスは、計画の最適化を可能にする。
【００４２】
開発から離れても本発明の雑音測定は、最終的な機器又はシステムの評価およびインストールの手助けとなる。インストール又は再インストールの間に、αパラメータを決定することは、最終的なアセンブリの検査にとって適したものである。αの値が予め定められた値に達して、システムの生成が成功したことを意味するとき、あるいは、有利なことに（−１）に十分接近して、システムが理想的と見なせることを示すとき、構成要素をチェックするまでもなく、システムを全体としてそっくりそのまま特徴づける正しい総合的機能を確信できる。
【００４３】
特定のケースでは、測定装置１は、遠隔制御可能であり、アクチュエータ手段６を用いてシステムと相互作用できる。一般に、すべてのシステムは、校正パラメータを持ち、動作中に発生する変化によってリセットされなければならない。例えば、例１で、増幅手段８は、５０オームの抵抗値に調整される。これは、回転式コンデンサおよび／又はポテンショメータの位置を調節することで実現される。しかし、使用中に、増幅手段８を異なる負荷に調整したり、調整し直したりする（例えば、経年変化によって）必要が生じる可能性がある。アクチュエータ手段６は、回転式コンデンサやポテンショメータを調節するのに適している。回転式コンデンサおよびポテンショメータの異なる位置において本発明の雑音測定を実行することによって、最適なα値が確立できて、このことから、増幅ユニット８がアクチュエータ手段６を通して自動的に調整される。この調整方法は、遠隔制御又は事前プログラミング可能で、手順は、完全に自動化可能である。
【００４４】
別の可能な応用は、更新、改善、グレード・アップ活動の制御である。高い値のおよび／又は制限された場所／ビル／インフラストラクチャの機器を変更する代わりに、通常、更新／グレード・アップされる。同様に、グレード・アップは、より小型の最新式装置の場合でも電子的およびハイテク開発で本質的に必須とされる。これは、急速な開発速度によって支配されるペースに追いつくために装置を変更することは、むしろ高くなるからである。しかし、更新やグレード・アップで構築されるモジュール／コンポネント／器具は、置換しようとする部品よりも新しく、本質的に優れた特性を持ち、元の部品以外の技術によって製造された置換部品が組み込まれるべきであることを意味する。そのような置換の場合、部品の互換性が大きなリスクとなる。新しい部品は、その形状に関して互換性を持ち、直接、接続されるインタフェースと互換であるが、動作中に本質的な損傷が発生した後に何らかの隠れた両立不能の問題が出現する可能性もある。これは、深刻な問題で、相互接続されるモジュールから構成される最新の電気機器の広がりとともに増大しつつあり、遠隔サービス技術の発生および互換性のあるモジュール構造の要求を伴う。
しかし、本発明の雑音測定は、そのような複雑なシステムの制御を可能とし、適正な互換性が保証される。グレード・アップ／置換の前後両方でシステムに関するαパラメータを測定することによって、αの第１の値から第２の値を差し引くことを通して置換部品を順位づけする両立性尺度を指定することができる。導出された尺度に基づいて、隠れた両立不能の問題を検出し、直ちに修正することが可能である。これは、肯定的な両立性尺度の場合にのみ、システムのグレード・アップを一般に実行すべきであるからである。このことは、互換性のチェックを行わなければシステムの利用が完全に阻止されるモジュール機器（例えば、コンピュータおよび周辺機器）の場合に特に重要である。
【００４５】
ここに提示した例では、発明者は、システムの内部雑音を検査した。すなわち、受動雑音測定が行われた。しかし、受動雑音測定の強度が適当でない場合もあり（特に、極端に高い雑音抑制の下で動作するシステムに関して）、能動雑音源を使用することによってシステムを「スクリーン」することが可能である。これは、システムに対して外部の雑音源を接続して、追加された雑音のスペクトルに関連して発生する変化を雑音測定装置１によってモニタすることを意味する。システムが十分複雑でなく、循環的変数を有すれば、白色雑音に応答するフィルタとして機能し、特殊なサンプル検査応答でシステムの適正さ又は動作障害を表示することができる。（雑誌：Ｅｌｅｃｔｒｏ−  ａｎｄ  Ｍａｇｎｅｔｏｂｉｏｌｏｇｙの第２０巻（２００１年）の２１５−２２９ページに掲載されたＰ．Ｓｚｅｎｄｒｏ、Ｇ．Ｖｉｎｃｚｅ、Ａ．Ｓｚａｓｚ著論文「白色雑音に対するバイオ応答」を参照。）上で説明したことと同様に、雑音スペクトルから故障又は故障に近い状態を検出することができる。
【００４６】
本発明に従う測定装置１は、動作時又は外部雑音源に応答して測定可能な信号を放出する任意の種類のシステムの全体としてそっくりそのままを実際の検査するために利用できる。上述の例で、本発明者は、増幅ユニット８および水冷装置１４によって生成された電圧信号を測定した。次に、電圧信号に対して直接的にフーリエ変換が適用され、次に、パワー密度関数が計算され、冪関数がフィッティングされ、最後に、α指数が決定された。もっと簡単に言えば、本発明者が冪関数の対数に対して線形関数をフィッティングさせて、勾配としてα指数が得られた。
【００４７】
電気器具の場合、本発明に従う方法を使用して、パワー入力又は出力を測定し検査するのが実際的である。しかし、実際の応用によっては、検査の目的に関して、より関連の深い情報を他の信号が運んでいる場合もある。
【００４８】
一般的に言えることは、システムを全体として最も良く説明する信号（例えば、冷却装置の電力消費）又は新しい部品の導入又は導入可能性によって最も影響を受ける信号（例えば、開発、グレード・アップ又は部品交換中の検査）を優先的に測定すべきである。
【００４９】
（例４）
本目的は、ＰＣＢ（プリント回路基板）からコンピュータをグレード・アップし、計画したグレード・アップがコンピュータの動作を改善するか劣化させるかを推測することである。
【００５０】
（１）より電力消費の大きい家庭用電化製品に変更する。第１に、オリジナル製品について、測定装置１で電力消費が調べられる。これは、水冷装置１４の例で述べられたように入力パワーが測定され、システムに特有な指数αが計算されることを意味する。次に、オリジナル製品が新しいもので置き換えられ、測定装置１を介して新しいα値が新しいシステムに対して求められる。オリジナル製品と新しい製品とについて得られたα値を比較して、製品を交換する価値があるか否かが判断される。例えば、新しいα値が前のものよりも（−１）により近ければ、コンピュータの総合的機能は、置換によって改善され、逆の場合は、もう一度、別の製品で試してみることを勧める。グレード・アップの決断は、以前に定義した両立性の尺度に基づいて行うこともできる。
【００５１】
（２）新しいグラフィック・カードでコンピュータをグレード・アップする。グラフィック・カードは、電力消費に本質的な影響を及ぼさないため、これからグラフィック・カードの効果を判断することは、困難である。それにも拘わらず、新しいグラフィック・カードをインストールすれば、クロック信号は、測定可能な変化を示す。従って、本発明の装置１でクロック信号を測定するのがより有利である。グラフィック・カードのある場合とない場合とで得られたα値が比較でき、コンピュータの動作がどう変化するかが分かる。
【００５２】
（３）デザイン・開発段階で、コンピュータに既に組み上げられた部品と最もうまく協調するグラフィック・カードが求められる。各種のグラフィック・カードについて上述の方法でα値が測定され、実験的に予め定められた理想値、望ましくは、（−１）の値に最も近いα値を与えるものが選ばれて組み込まれる。
【００５３】
非電気的システムの場合、機械的又はその他の種類の信号を電圧（又は電流）信号に変換することが有利である。例えば、機械的信号の場合、既知のタイプのピエゾ結晶手段又はストロボ信号変換器を用いるか、あるいは、機械的移動に付随するその他の効果を測定する（例えば、ゲート検査、クリープ又は位置ずれ検査）。
【００５４】
例えば、ベアリング（内歯、円錐、ボールおよびソケット等）を検査しようとするとき、既知の技術を用いて特性周波数を決定しようとする。すなわち、ベアリング中のクラックを意味するスペクトル中の突出した周波数を検出しようとする。既知の方法と異なり、本発明の雑音測定は、単一のパラメータを計算することによってベアリング状態に関して包括的観察を可能とする。すなわち、非常に高速で、同時に、より容易に自動化できる測定および解析を意味する。ベアリング検査のために設計された任意の既知の手段を用いて測定手段２とすることができる。
【００５５】
ここで更に別の応用の可能性について説明する。これは、上で述べた前記情報と組み合わせれば、当業者によって容易に実現可能である。
【００５６】
例２で、サービスを要する増幅手段８の指数αが外部条件（すなわち、出力に印加された負荷）に強く依存する一方で、保守後には、最適動作をする増幅手段８は、外部条件に依存しない安定したα値を有することが示された。これは、増幅手段８のみに関係するケースではない。この現象は、本発明の雑音測定を適用できる任意の製品に関して活用できる。例えば、大量生産の場合、α値の安定性を測定することによって不良品を良品から容易にふるい分けることができる。
【００５７】
本発明に従う雑音測定方法および雑音測定装置１は、例えば、地震、台風、地すべり等の自然災害後の建物の健全性監視にも適している。健全性監視は、既知の健康モニタの場合のように、例えば、既知の振動マシンを介して人工的な衝撃を供給し、構造物の振動を測定することによって実行される。既知の検査方法と異なり、本発明者は、突出した信号（特性周波数）を検出しようとしない。その代わり、本目的は、α値に起こる何らかの変化を監視して、そこから建築物の構造にもたらされた損傷の程度を判断することである。この目的のために、予め初期の測定結果を収集しておくべきである。そのような基準となる測定は、建築物をオープンする前に実行しておくことが望ましい。
【００５８】
健康モニタは、実際には、すべての種類の機器に必要となる。一例として、入力パワーの雑音を測定することが水冷装置１４の場合と同様、機器の健康状態を予測するのに利用できる機器について述べることができる。そのような機器としては、ハード・ディスク・ドライブ、ＰＣ、ＤＣファン、ＴＭＰ（ターボ分子ポンプ）、ＲＰ（ロータリ・ポンプ）等がある。電気回路基板素子の場合は、電流や電圧信号の雑音を測定することが通常推奨される。これは、ＬＳＩテスタに関するケースであり、回路表面に何らかの汚染物が付着している場合、電子式テスタによって評価することができない。
【００５９】
本発明に従う雑音測定方法および雑音測定装置１は、生体系の検査にも使用できる。長距離の相関に関する上述の原理は、複雑な生体系（人間や動物の体など）に対しても、電気、機械又はその他の種類の非生体系にも等しく適用できる。生体系は、上で述べたシステムと同じように、全体としての生体系システムに関する包括的情報を運ぶいくつかの異なる信号（例えば、生理学的信号）とそのような信号の雑音（すなわち、揺らぎ）を放射できる。
【００６０】
以下において、これ以外のいくつかの簡単な例について説明する。本発明に従う方法又は装置の医学的又は診断的応用の更なる可能性が当業者に明らかとなる。
【００６１】
（例５）
ＥＣＧによる人間／獣医学健康モニタ
この場合、複雑な生体系は、人間（又は動物）の身体であり、出力信号は、心拍であり、ＥＣＧ（心電計）によって既知の方法で測定できる。ＥＣＧ装置は、測定信号を抽出するか、デジタル形式で、例えば、コンピュータに送信する。すべての場合に、測定信号は、容易に取り出すことのできる電圧信号に変換される。この電気信号は、本発明の測定装置１の入力に送られ、後者は、測定手段２又はフーリエ変換を実行するフーリエ・アナライザ３でよい。入力信号は、受信されたままに次にアナライザ３によってフーリエ変換され、その後、対数スケールに表した測定点に対して線形関数をフィッティングすることによって指数αを得る。本発明の雑音測定を定期的に繰り返すことによって、α値の変化から患者の一般的な健康状態が改善しているか、悪化しているかが判断できる。α値が（−１）の値に近づく方向に動けば、患者の健康状態は、改善している。他方、αが遠ざかれば、悪化している。本発明の雑音測定は、生体系全体としての患者の情報を提供するので、ＥＣＧ信号情報に対して実行される雑音測定を通して心臓の動作のみでなく、他の方法でまだ認識できない内部変化の効果もまた検出できることを強調しておかなければならない。例えば、患者のα値に大きな悪化が検出された場合、α値の悪化が進行中の病気を予知することがあるので、病状の訴えがなくても一般的な健康診断が推奨される。同様に、慢性疾患の治療中に、規則的な雑音測定を行えば、改善の兆しが見える前に治療が有効であるかどうかを判断する手助けとなる。
【００６２】
以前に述べたことと同様、α値の変化を監視する代わりにその安定性もまた調べることができる。ＥＣＧ測定は、α値における外部条件の依存性の範囲を見るために異なる条件（静止時のＥＣＧ、運動時のＥＣＧ）下で実行することができる。増幅ユニット８の場合に示したように、十分に動作するシステムのα値は、外部負荷や条件に依存しない。すなわち、ほぼ一定に留まる。既知の種類の２４時間ＥＣＧ監視装置（ホルタ・モニタ）を使用することが可能である。これは、被験者に一日中装着される。既知の検査方法の場合、被験者は、一日の彼らの活動を記帳することが求められる。これは、測定されたＥＣＧが特定の活動に対して正常であるかどうかを判断することが必要とされるためである。得られたＥＣＧは、その患者の日記に照らして解析する必要がある。これは、時間のかかる、しばしば不必要な作業である。この代わりに、本発明に従う雑音測定装置１の上述のワン・チップＰＣ実施の形態に２４時間ＥＣＧ監視装置を採用できる。これは、与えられた規則性でα値を計算することができる。ＥＣＧ結果を評価する者は、次にα値を一瞥し、α値がほとんど一定であることが分かれば、ＥＣＧ結果を更に精査することなく、被験者の良好な健康状態が確認される。
【００６３】
ＥＣＧを利用する代わりに、人間又は動物によって生成される任意の信号を検査することもできる。ホルタ・モニタ装置は、また血圧測定のために使用することもできるが、胃酸又は尿も同様に検査できる。多様な生体／生理学的信号を測定して電圧信号に変換するために当業者が使用できる医療診断装置は、多い。例えば、呼吸や脈拍の雑音解析を行うことが可能である。
【００６４】
広範囲の可能な検査が利用できる。例えば、脳細胞の活動や内臓又はその他の活動の測定結果を解析することが可能である。例えば、脳細胞に近赤外光を照射して、測定される反射光信号、又はそれに重畳する雑音は、脳活動の検査に適している。（−１）の値から大幅に離れたα値は、病気の脳活動を示す。
【００６５】
しかし、全く異なる種類の「信号」も同様に測定できる。高齢者の場合に介護の欠如による快適さの割合（空腹、用事等）のようなものも本発明の雑音測定の基礎を形成できる。既知の測定の本質は、ウォーキング中の歩幅および速度の測定にあり、その雑音も指数αを提供できる。
【００６６】
（例６）
特殊な応用、例えば、自動車ドライバの運転中の健康状態の監視なども可能である。この場合にも２４時間ＥＣＧ監視装置を使用できるが、もっと擾乱の少ない測定も可能である。例えば、雑音スペクトルとして、虹彩のすべての運動を記録するカメラによってドライバの眼球運動を検出することが可能である。そのような装置が利用可能であり、当業者によれば装置の電気信号を本発明に従って評価できるように容易に改造することができる。得られたα値を用いて、ドライバが疲れているかどうかを判断することができる。適切な個人の校正を行って、閾値αを決定することができる。その値に到達することは、それ以上の警告レベルは、最早不適当であり、ドライバが停止して休憩を取るべきであることを意味する。
【００６７】
手／脚／身体の筋肉活動信号を測定することによって疲労を検出することもできる。この測定は、当業者に既知であり、解析も同様に可能である。疲労を測定する効率的な方法は、ドライバを刺激して反応活動を起こさせ、応答を調べるものである。刺激は、人工的なもの（与えられたサインに従うように行動を制約する）でも、自然的なもの（カーブする道路での運動順序）でもよい。雑音測定は、反応の検査を含む。
【００６８】
同様な方法は、動いている生命体の疲労／病気／年齢を決定するために適用できる。その中には、高解像度のビデオ録画の予め選ばれた詳細に基づいて実行される雑音測定の方法が含まれる。
【００６９】
ドライバの外部刺激に対する反応を調べるケースと同じように、人間や動物の反応および反応の緩和が他の分野でも調べられる。この種の生理学的信号の測定と、その電気信号への変換もまた、当該分野で既知であり、従って、本発明の雑音測定を得られた信号に対して実行できる。生理学的測定の代わりに、ＰＨ−やその他の化学的測定もまた適しており、その雑音を上述のように調べることができる。
【００７０】
一般的に言えることであるが、実際にあらゆる種類のシステムについて可能な測定が、今日センサを有する装置を用いて実行されており、すべての出来事（それは、機械的なものでも、化学的なものでも、生体的なものでも、宇宙的なものでも、電磁気的なものでも、核物理的なものでも、その他でもよい）を記録し、電気信号に変換している。本装置は、そのような電気信号を解析するように指示される。並列的な入力情報のケースでは、特定の検討事項に従って分類され、解析され、記録され、それに従って表示される（例えば、ビデオ録画）。本発明に従う測定装置１は、既に電気信号が手元にあるとき、最も都合よく利用される。測定信号を電気信号に変換する特定の電気器具は、応用に依存し、ここでの説明から当業者に明らかである。彼らは、適当な電気器具を選ぶことができ、必要なら軽微な修正を行って、電気信号を取り出し、本発明の測定装置１に導く。測定のために使用される電気器具が出力を有すること、すなわち、情報をそれ以降の処理のために電気的な形で送信することが可能であることは、重要である。本発明に従う測定装置１の実施の形態群は、修正された既知の装置手段を採用し、測定手段の電気信号をフーリエ変換（上で分かるように、コンピュータ４又は任意の他のデジタル信号処理手段に採用することができる）を実行するアナライザ３に送信するようにする。この場合、修正された測定手段は、測定手段２を置き換えることができるが、特定のケースでは、電気信号を受信する手段を用いて測定手段をアナライザ３に接続するか、あるいは、特定のケースでは、測定手段２がこの関数を実行できる。
【図面の簡単な説明】
【００７１】
【図１】本発明に従う雑音測定手段の１つの実施の形態のブロック図。
【図２】検査された無線周波数増幅器のブロック図。
【図３】無線周波数増幅器に対して実施された雑音測定の結果を示す図。
【図４】異なる条件下で２つの無線周波数増幅器に対して実施された雑音測定の結果を示す図。
【図５】検査された冷水装置のブロック図。
【図６】冷水装置に対して実施された雑音測定の結果を示す図。
【図７】異なる条件下で冷水装置に対して実施された雑音測定の結果を示す図。
【図８】図２に示された増幅手段を（全体として）特徴づける不変量（すなわち、いわゆるα指数）の周波数依存性を示し、相関値の周波数依存性も示す図。
【図９】正しく動作する（第１の棒）および２つの更に未調整環境下における（第２および第３の棒）図２の増幅手段に関する不変量および相関値を示す図。
【図１】
0005134369.tif 000002
【図２】
0005134369.tif 000003
【図３】
0005134369.tif 000004
【図４】
0005134369.tif 000005
【図５】
0005134369.tif 000006
【図６】
0005134369.tif 000007
【図７】
0005134369.tif 000008
【図８】
0005134369.tif 000009
【図９】
0005134369.tif 000010